(57)【要約】【課題】視認性を維持しつつ、複数種別の地域別情報を一括して表示することができる地域別情報表示装置を提供する。【解決手段】ユーザが表示させたい複数種別の地域別情報の種別および地域の選択を受け付ける入力部１１と、選択された種別毎に指定の地域別情報を地域別情報格納部１３から読み出す第１情報取得部１６〜第４情報取得部１９、および、選択された地域の地図データを地図データ格納部１４から読み出して、第１情報取得部１６〜第４情報取得部１９が読み出したそれぞれの地域別情報に基づいて、地図データにそれぞれ異なる表示手法による変化をつけて画面を描画する描画部２０を有する制御部１２と、描画された画面を表示する表示部１５とを備える。【選択図】        図１
2005165064.tif 000002
【特許請求の範囲】
【請求項１】
地域毎の特徴を表す情報である地域別情報を前記各地域の地図と合わせて表示する地域別情報表示装置であって、
複数の前記地域別情報を、それぞれ異なる表示手法を用いて各地域の地図データそのものに変化を付加して表示する表示手段を備える
ことを特徴とする地域別情報表示装置。
【請求項２】
前記地域別情報装置は、さらに、
前記地域別情報の種別の中から複数の種別の選択を受け付ける入力手段と、
選択された種別に、それぞれ異なる表示手法を割り当てる表示手法割り当て手段とを備え、
前記表示手段は、前記選択された種別の地域別情報を、割り当てられた表示手法による変化を付加して表示する
ことを特徴とする請求項１記載の地域別情報表示装置。
【請求項３】
前記表示手法割り当て手段は、前記選択された種別に、前記表示手法として、前記地図の３Ｄ表示、前記地図の色分け表示、前記地図に付す斜線角度、前記地図に付す斜線間隔、前記地図に付す斜線太さ、および、前記地図に付す斜線線種のいずれかを、それぞれ割り当てる
ことを特徴とする請求項２記載の地域別情報表示装置。
【請求項４】
前記表示手段は、前記変化を複数回に分けて前記各地域の地図データに付加し、段階的に表示する
ことを特徴とする請求項１〜３のいずれか１項に記載の地域別情報表示装置。
【請求項５】
前記入力手段は、さらに、前記表示手段が表示した画面内において前記変化を表示するか否かの選択を受け付け、
前記表示手段は、選択された変化のみを付加した画面を描画して、表示する
ことを特徴とする請求項１〜４のいずれか１項に記載の地域別情報表示装置。
【請求項６】
前記入力手段は、さらに、前記表示手段が表示した画面に対する視点の変更を受け付け、
前記表示手段は、変更された視点から見た画面を描画して、表示する
ことを特徴とする請求項１〜５のいずれか１項に記載の地域別情報表示装置。
【請求項７】
前記入力手段は、さらに、前記地域の選択を受け付け、
前記表示手段は、選択された地域に関する地域別情報を、前記選択された地域の地図データに前記変化を付加して表示する
ことを特徴とする請求項１〜６のいずれか１項に記載の地域別情報表示装置。
【請求項８】
地域毎の特徴を表す情報である地域別情報を前記各地域の地図と合わせて表示する地域別情報表示方法であって、
複数の前記地域別情報を、それぞれ異なる表示手法を用いて各地域の地図データそのものに変化を付加して表示する表示ステップを含む
ことを特徴とする地域別情報表示方法。
【請求項９】
地域毎の特徴を表す情報である地域別情報を前記各地域の地図と合わせて表示する地域別情報表示装置のためのプログラムであって、
複数の前記地域別情報を、それぞれ異なる表示手法を用いて各地域の地図データそのものに変化を付加して表示する表示ステップをコンピュータに実行させる
ことを特徴とするプログラム。
【発明の詳細な説明】
【技術分野】
【０００１】
本発明は、地域別の情報を表示する装置に関し、特に複数種別の地域別情報を一括して表示する装置に関する。
【背景技術】
【０００２】
従来、地域毎の特徴を表す情報（地域別情報）を各地域の地図と合わせて表示することが行なわれている。
例えば、学生や生徒の教材である地図帳では、地域別の人口分布が各地域を色分けすることにより示されている。
また、地図データと所定のデータベースとを用いて、グラフ等のオブジェクトを地図上に重ねて表示させる技術も開示されている（例えば、特許文献１参照。）。
【特許文献１】特開平１１−３３８３４４号公報
【発明の開示】
【発明が解決しようとする課題】
【０００３】
しかしながら、上記従来の色分けによる表示では、単一種別の地域別情報しか表示することができず、例えば、人口数と人口密度のような、複数種別の地域別情報を同時に表示することができない。
ここで、上記従来のオブジェクトを地図上に重ねて表示する手法を用いれば、例えば人口数について色分け表示し、人口密度について人形のオブジェクトを地図上に重ねて表示することにより、複数種別の地域別情報を同時に表示することも可能となるが、情報種別の数が増えれば、オブジェクトにより地図が埋め尽くされてしまい、視認性が低下してしまうという問題もある。
【０００４】
そこで、本発明は、上記問題点に鑑みなされたものであり、視認性を維持しつつ、複数種別の地域別情報を一括して表示することができる地域別情報表示装置を提供することを目的とする。
【課題を解決するための手段】
【０００５】
上記目的を達成するために、本発明に係る地域別情報表示装置は、地域毎の特徴を表す情報である地域別情報を前記各地域の地図と合わせて表示する地域別情報表示装置であって、複数の前記地域別情報を、それぞれ異なる表示手法を用いて各地域の地図データそのものに変化を付加して表示する表示手段を備えることを特徴とする。これによって、複数種別の地域別情報を、各地域の地形そのものを地域別情報に基づいて変化させる表示手法を複数用いて表示するので、地図の視認性が遮られることのない複数種別の地域別情報の一括表示が可能となる。
【０００６】
ここで、前記表示手段は、前記変化を複数回に分けて前記各地域の地図データに付加し、段階的に表示するとしてもよい。これによって、各地域別情報の表示結果が段階的に表示されるので、地域別情報の各種別を１つずつ確認することができ、その内容把握が容易になるという効果が発揮される。
なお、本発明は、このような地域別情報表示装置として実現することができるだけでなく、このような地域別情報表示装置が備える特徴的な手段をステップとする地域別情報表示方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【０００７】
このように、本発明に係る地域別情報表示装置によれば、複数種別の地域別情報を、地図上にオブジェクトを重ねずに、各地域の地形そのものを地域別情報に基づいて変化させる表示手法を複数用いて表示するので、良好な視認性を維持しつつ複数種別の地域別情報を一括表示することができる。
また、本発明は、地域別の商品売上げや占有率等の販売情報を表示する地域別販売情報表示装置等として実現することも可能であり、この場合には、複数種別の地域別販売情報の一括表示することができるので、商品販売動向を一目で把握することができ、効率的なマーケティング活動の実現につなげることもできる。
【発明を実施するための最良の形態】
【０００８】
以下、本発明を実施するための最良の形態について詳細に説明する。
（実施の形態１）
まず、本発明の実施の形態１に係る地域別情報表示装置について説明する。
図１は、本実施の形態１に係る地域別情報表示装置の機能的な構成を示すブロック図である。
【０００９】
地域別情報表示装置１は、複数種別の地域別情報と該当地域の地図とを一括して表示するワークステーションやＰＣ等であり、入力部１１、制御部１２、地域別情報格納部１３、地図データ格納部１４および表示部１５を備える。
入力部１１は、ユーザから地域の選択や、表示する情報種別の指定等を受け付けるキーボードやマウス等の入力装置である。
地域別情報格納部１３は、各地域の地域別情報が記述されている地域別情報ファイルを格納するためのハードディスク等の記憶装置である。
【００１０】
図２は、地域別情報格納部１３に格納されている地域別情報ファイルのデータ構造の一例を示す図である。
図２に示すように、この地域別情報ファイル１３ａは、所定の地域区分ごとに、複数種別の地域別情報（情報Ａ、情報Ｂ、情報Ｃ・・・）が記述されているテーブル構造となっている。ここでは、所定の地域区分として、日本の都道府県および所定のブロック単位（北海道・東北地方、関東地方、信越・北陸地方、東海地方、近畿地方、中国地方、四国地方および九州地方）を用いて図示している。
【００１１】
なお、この地域別情報ファイル１３ａは、本図のように、複数種別の地域別情報が１つのテーブルファイルに記述されているとしてもよいし、情報種別ごとの地域別情報が記述されているテーブルファイルの集合として、または、所定の地域区分ごとの複数種別の地域別情報が記述されているテーブルファイルの集合として捉えることもできる。
地図データ格納部１４は、地図の２次元データおよび３次元データ（以下、「地図データ」という。）を格納するためのハードディスク等の記憶装置である。
【００１２】
この地図データ格納部１４には、各地域の地図データが、上記所定の地域区分と対応付けられて記録されている。
制御部１２は、入力部１１を介して入力されるユーザからの指示に従って、指定された種別の地域別情報を地域別情報格納部１３から取得し、また、指定された地域の地図データを地図データ格納部１４から取得して描画する処理部であり、第１情報取得部１６、第２情報取得部１７、第３情報取得部１８、第４情報取得部１９および描画部２０を備える。
【００１３】
第１情報取得部１６は、ユーザから指定された地域に関する情報であって、ユーザから第１情報として指定された種別の地域別情報を、地域別情報格納部１３から読み出して描画部２０に出力する処理部である。
第２情報取得部１７は、ユーザから指定された地域に関する情報であって、ユーザから第２情報として指定された種別の地域別情報を、地域別情報格納部１３から読み出して描画部２０に出力する処理部である。
【００１４】
第３情報取得部１８は、ユーザから指定された地域に関する情報であって、ユーザから第３情報として指定された種別の地域別情報を、地域別情報格納部１３から読み出して描画部２０に出力する処理部である。
第４情報取得部１９は、ユーザから指定された地域に関する情報であって、ユーザから第４情報として指定された種別の地域別情報を、地域別情報格納部１３から読み出して描画部２０に出力する処理部である。
【００１５】
描画部２０は、ユーザから指定された地域の地図データを地図データ格納部１４から読み出し、第１情報取得部１６〜第４情報取得部１９から出力された情報とリンクさせて、出力表示画面を生成する処理部である。また、この描画部２０は、第１情報取得部１６〜第４情報取得部１９から出力された情報をそれぞれ異なる表示手法で出力表示する画面を生成する。なお、ここにいう、表示手法とは、地図上にオブジェクトを重ねて表示する手法ではなく、例えば、地図データにおける３Ｄの高さを地域毎に変更すること、各地域を色分けすることや、各地域をハッチングして、その角度を変更したり、その間隔を変更したりすること等によって、数値の多寡等を表示する手法である。
そして、描画部２０は、これらの表示手法の表示態様が、それぞれどのような意味を示すかについて管理するための表示手法定義ファイルを保持している。
【００１６】
図３は、表示手法定義ファイルのデータ構造の一例を示す図である。
図３に示すように、表示手法定義ファイル２０ａは、各表示手法の表示態様がどのような意味を示すものであるかについての定義を記録しておくためのファイルである。
【００１７】
本図の例では、表示手法定義ファイル２０ａには、３Ｄ高さの表示態様は、３Ｄの高さが高いほど、数値が大きいことを意味し、色分けの表示態様は、青色に近いほど数値が大きく、赤色に近いほど数値が小さいことを意味する定義づけが記録されている。また、ハッチング角度の表示態様は、角度が右肩上がりであるほど数値が大きく、角度が右肩下がりであるほど数値が小さいことを意味し、ハッチング間隔の表示態様は、間隔が狭いほど数値が大きいことを意味する定義づけが記録されている。
【００１８】
なお、本図に示した表示手法定義ファイル２０ａにおける表示態様の定義づけは、一例に過ぎず、その他の定義づけ（例えば、ハッチング間隔が狭いほど数値が小さいとする等）であってもよく、表示手法定義ファイル２０ａを更新することで、ユーザが自由に設定可能とするのが好ましい。
そして、表示部１５は、描画部２０が描画した画面等を出力表示するためのＣＲＴディスプレイや液晶ディスプレイ等の表示装置である。
このように構成された地域別情報表示装置１の処理動作について、図４を用いて説明する。
【００１９】
図４は、地域別情報表示装置１の処理動作を示すフロー図である。
まず、地域別情報表示装置１は、ユーザから入力部１１を介して、表示の対象地域となる地域選択の入力を受け付ける（Ｓ１０）。
【００２０】
次に、地域別情報表示装置１は、ユーザから入力部１１を介して、選択された地域に関し、どのような情報を表示させるのか、すなわち、地域別情報の種別の入力を受け付ける（Ｓ１２）。
続いて、地域別情報表示装置１は、ユーザから入力部１１を介して、それぞれの種別の地域別情報を、どのような手法により表示させるのか、すなわち、表示手法の入力を受け付ける（Ｓ１４）。
【００２１】
地域別情報表示装置１は、地域、情報種別および表示手法の設定を受け付けると、第１情報取得部１６、第２情報取得部１７、第３情報取得部１８および第４情報取得部１９において、それぞれ地域別情報格納部１３から指定された地域および種別の地域別情報を読み出す（Ｓ１６）。
その後、地域別情報表示装置１は、描画部２０において、指定された地域の地図データを地図データ格納部１４から読み出し、読み出した地図データと、第１情報取得部１６、第２情報取得部１７、第３情報取得部１８および第４情報取得部１９から取得した地域別情報とを用いて、指定された表示手法および表示手法定義ファイル２０ａに記述されている定義づけに従って描画し（Ｓ１８）、表示部１５において、描画した画面を表示出力して（Ｓ２０）、処理動作を終了する。
【００２２】
以下では、これらの手順を、ユーザに向けて出力表示する画面例を図示しながら説明する。
図５は、地域別情報表示装置１が地域選択を受け付ける際の画面例を示す図である。
図５に示す地域選択画面１００は、地域別情報表示装置１の上記処理動作における地域選択入力受付時（図４のステップＳ１０）の画面の一例である。
【００２３】
地域別情報表示装置１は、このような画面を表示部１５から出力し、ユーザから入力部１１を介して、この地域選択画面１００に含まれる地域選択チェックボックス１０１の選択操作を受け付け、次画面ボタン１０２を押下する操作を受け付けると、表示する地域別情報の種別の選択を受け付ける画面を表示し、情報種別の入力の受付を行なう。
【００２４】
図６は、地域別情報表示装置１が情報種別の入力を受け付ける際の画面例を示す図である。
図６に示す表示情報選択画面１１０は、地域別情報表示装置１の上記処理動作における情報種別入力受付時（図４のステップＳ１２）の画面の一例である。
地域別情報表示装置１は、このような画面を表示部１５から出力し、ユーザから入力部１１を介して、この表示情報選択画面１１０に含まれる情報選択プルダウン１１１〜１１４の中から表示する地域別情報の種別の選択操作を受け付け、次画面ボタン１１５を押下する操作を受け付けると、表示手法の設定を受け付ける画面を表示し、表示手法の入力の受付を行なう。なお、地域別情報表示装置１は、この表示情報選択画面１１０において、ユーザから入力部１１を介して、表示手法定義ファイル２０ａの定義づけの変更を受け付けることができるようにしてもよい。
【００２５】
図７は、地域別情報表示装置１が表示手法の入力を受け付ける際の画面例を示す図である。
図７に示す表示手法選択画面１２０は、地域別情報表示装置１の上記処理動作における表示手法入力受付時（図４のステップＳ１４）の画面の一例である。
地域別情報表示装置１は、このような画面を表示部１５から出力し、ユーザから入力部１１を介して、この表示手法選択画面１２０に含まれる表示手法選択プルダウン１２１〜１２４の中から、指定された情報種別をどのような手法により表示するかについて選択操作を受け付け、表示ボタン１２５を押下する操作を受け付けると、地域別情報格納部１３から指定された地域および種別の地域別情報を読み出し、また、地図データ格納部１４から指定された地域の地図データを読み出して、指定された表示手法および表示態様の定義づけに従って、出力画面の描画を行なう。
【００２６】
図８は、地域別情報表示装置１が地域別情報を出力表示する際の画面例を示す図である。
図８に示す地域別情報表示画面１３０は、地域別情報表示装置１の上記処理動作における表示出力時（図４のステップＳ２０）の出力表示画面の一例である。
地域別情報表示装置１は、このような画面を表示部１５から出力して、指定地域および指定種別の地域別情報をユーザに提示する。なお、ここでは、便宜上色分けを円の密度により示している。
【００２７】
この地域別情報表示画面１３０のうち地域別情報表示部１３１では、指定地域全体の地図が示されており、各指定地域の地形そのものに、それぞれの指定地域の地域別情報に基づいた変化がつけられている。このような表示とすることで、視認性を阻害するオブジェクトを地図上に重ねることなく、複数種別の地域別情報を一括してユーザに提示することができる。
【００２８】
また、この地域別情報表示部１３１の下方には、表示手法定義ファイル２０ａにおける表示態様の定義づけが、視覚的に把握できるように示されているので、ユーザは、地域別情報の内容を直感的に判断することができる。
このように本実施の形態１に係る地域別情報表示装置によれば、地図上にオブジェクトを重ねることなく、各地域の地形そのものに、地域別情報に基づいた変化をつける表示手法を複数用いて表示するので、視認性を損ねることなく、複数種別の地域別情報を一括して表示することができる。
【００２９】
（実施の形態２）
次に、本発明の実施の形態２に係る地域別販売情報表示システムについて説明する。
上記実施の形態１では、地域別情報表示装置について説明したが、本実施の形態２では、より具体的な事例として、地域別の販売情報を表示するシステムについて説明する。
【００３０】
図９は、地域別販売情報表示システムの全体構成を示す図である。
地域別販売情報表示システム２は、自社の取り扱い商品に関する情報等を管理するホストサーバ３と、地域毎の自社商品の販売情報（地域別販売情報）を管理する地域別販売情報管理サーバ４と、地域別販売情報の表示を問い合わせる複数のクライアントＰＣ５と、自社および競合他社の商品売上げに関する情報等のような業界情報を管理する業界情報管理サーバ６と、これらの装置を相互通信可能に接続するネットワーク通信網７とから構成される。
【００３１】
図１０は、この地域別販売情報表示システム２の機能的な構成を示すブロック図である。
ホストサーバ３は、自社の取り扱い商品に関する情報等を管理するサーバ装置であり、自社商品ＤＢ格納部３１を備える。
自社商品ＤＢ格納部３１は、自社の取り扱い商品の品番や価格等の情報が記述される品種マスタ、自社の販売店の所在地等の情報が記述されている店舗マスタや、各店舗における商品別、日別または月別の売上げ情報が記述される売上げマスタ等を格納するためのハードディスク等の記憶装置である。
【００３２】
業界情報管理サーバ６は、業界情報を管理するサーバ装置であり、業界情報ＤＢ格納部６１を備える。
業界情報ＤＢ格納部６１は、自社に限られず業界全体の各商品について、商品別、地域別、日別または月別の売上げ情報が記述される業界売上げマスタ等を格納するためのハードディスク等の記憶装置である。
【００３３】
クライアントＰＣ５は、地域別販売情報管理サーバ４に地域別販売情報の表示を問い合わせたり、問い合わせの応答結果となる地域別販売情報の表示画面を表示したりするＰＣであり、入力部５１と、表示部５２とを備える。
入力部５１は、上記実施の形態１に係る地域別情報表示装置１の入力部１１に相当する機能を有するキーボードやマウス等の入力装置であり、入力されたユーザからの指示を地域別販売情報管理サーバ４にネットワーク７を経由して送信する。
【００３４】
表示部５２は、地域別販売情報管理サーバ４が描画した画面等を、ネットワーク７を経由して受信し出力表示するＣＲＴディスプレイ等の表示装置である。
地域別販売情報管理サーバ４は、地域別販売情報を管理するサーバ装置であり、制御部４１と、地域別自社商品情報格納部４２と、地域別業界情報格納部４３と、地図データ格納部４４とを備える。
【００３５】
地域別自社商品情報格納部４２は、各地域における自社商品の販売情報が記述されている地域別自社商品情報ファイルを格納するためのハードディスク等の記憶装置である。
【００３６】
図１１に、地域別自社商品情報格納部４２に格納されている地域別自社商品情報ファイルのデータ構造の一例を示す。
この地域別自社商品情報ファイル４２０は、地域別の商品の販売数が記述されているテーブル構造となっており、商品種別毎に、また、１の商品種別に対して年月毎にまとめられている。
【００３７】
地域別業界情報格納部４３は、各地域における業界全体の販売情報が記述されている地域別業界情報ファイルを格納するためのハードディスク等の記憶装置である。
なお、地域別業界情報ファイルも、上記地域別自社商品情報ファイル４２０と同様のデータ構造を有している。
地図データ格納部４４は、上記実施の形態１に係る地域別情報表示装置１の地図データ格納部１４と同様の、地図データを格納するためのハードディスク等の記憶装置である。
【００３８】
制御部４１は、地域別販売情報や業界情報を取得したり、クライアントＰＣ５からの問合せに応じて地域別販売情報の表示画面の生成をしたりする処理部であり、情報管理部４５と、描画部４６とを備える。
情報管理部４５は、ホストサーバ３から自社商品の販売情報を、ネットワーク７を経由して取得し地域別自社商品情報格納部４２に格納したり、業界情報管理サーバ４から業界情報を、ネットワーク７を経由して取得し地域別業界情報格納部４３に格納したり、クライアントＰＣ５からの地域別販売情報の表示の問合せに応じて、指定された販売情報等を地域別自社商品情報格納部４２や地域別業界情報格納部４３から読み出して描画部４６に出力したりする処理部である。
【００３９】
また、この情報管理部４５は、指定された販売情報等を単に読み出すだけではなく、読み出された情報をつなぎあわせて描画部４６に出力する加工機能や、読み出された情報を用いて割合等を求めて描画部４６に出力する計算機能も有する。具体的には、加工機能として、各地域における各月の売上げ情報を集計して、年度単位での売上げ推移を示す年間推移ファイルを作成すること等がある。また、計算機能として、業界全体の売上げに対する自社商品の売上げから自社商品の占有率を求めたり、前年度に対する今年度の売上げから商品売上げの伸び率（増減）を求めたりすること等がある。
【００４０】
図１２に、年間推移ファイルのデータ構造の一例を示す。
この年間推移ファイル４５０は、地域別自社商品情報ファイル４２０または地域別業界情報ファイルを基に作成されるファイルであり、テーブル構造を有しており、各地域における各月の売上げ情報がまとめて記述されている。本図では、２００３年度の各都道府県における掃除機の売上げ情報に関する年間推移ファイル４５０の例を示している。
【００４１】
描画部４６は、ユーザから指定された地域の地図データを地図データ格納部４４から読出し、情報管理部４５から出力された情報とリンクさせて、出力表示画面を生成する処理部である。また、この描画部４６は、上記実施の形態１に係る描画部２０と同様に、表示手法定義ファイルを保持しており、情報管理部４５から出力された情報をそれぞれ異なる表示手法で出力表示する画面を生成し、生成した出力表示画面をネットワーク７を経由してクライアントＰＣ５に送信する。
【００４２】
このような構成を備えた各装置からなる地域別販売情報システム２の処理手順について、図１３を用いて説明する。
まず、クライアントＰＣ５は、ユーザから入力部５１を介して、表示の対象地域となる販売地域選択の入力を受け付け（Ｓ３０）、入力された選択結果を地域別販売情報管理サーバ４に送信する。
【００４３】
次に、地域別販売情報管理サーバ４は、クライアントＰＣ５に販売情報の種別の選択を受け付ける画面を送信し、クライアントＰＣ５は、その画面を表示部５２から出力するとともに、ユーザから入力部５１を介して、販売情報の種別の入力を受け付け（Ｓ３２）、入力された選択結果を地域別販売情報管理サーバ４に送信する。
続いて、地域別販売情報管理サーバ４は、クライアントＰＣ５に表示手法の選択を受け付ける画面を送信し、クライアントＰＣ５は、その画面を表示部５２から出力するとともに、ユーザから入力部５１を介して、表示手法の入力を受け付け（Ｓ３４）、入力された選択結果を地域別販売情報管理サーバ４に送信する。
【００４４】
地域別販売情報管理サーバ４は、販売地域、販売情報種別および表示手法の設定を受け付けると、情報管理部４５において、地域別自社商品情報格納部４２および地域別業界情報格納部４３から指定された地域および種別の地域別販売情報を読み出したり、地域別販売情報を加工したり、計算したりする（Ｓ３６）。
その後、地域別販売情報管理サーバ４は、描画部４６において、指定された地域の地図データを地図データ格納部４４から読み出し、読み出した地図データと、情報管理部４５から取得した地域別販売情報とを用いて、指定された表示手法および表示手法定義ファイルに記述されている定義づけに従って描画し（Ｓ３８）、描画した画面をクライアントＰＣ５に送信する。
そして、クライアントＰＣ５は、受信した画面を表示部５２から表示出力して（Ｓ４０）、処理動作を終了する。
【００４５】
以下では、これらの手順を、ユーザに向けて出力表示する画面例を図示しながら説明する。なお、販売地域選択画面については、上記実施の形態１で図５に示した画面と略同一であるため説明を省略する。
【００４６】
図１４は、販売情報種別の入力を受け付ける際の画面例を示す図である。
図１４に示す表示情報選択画面５００は、地域別販売情報表示システム２の上記処理動作における販売情報種別入力時（図１３のステップＳ３２）にクライアントＰＣ５から出力される画面の一例である。
この表示情報選択画面５００に含まれる年月指定プルダウン５０１は、表示対象となる年月の選択を受け付けるプルダウンメニューであり、商品選択プルダウン５０２は、表示対象となる商品の選択を受け付けるプルダウンメニューである。また、この表示情報選択画面５００では、情報選択ラジオボタン５０３〜５０７を用いて表示する販売情報種別の選択を可能とし、販売情報種別の中でも売上げ増減や占有率増減のように、比較対象となる年月が必要とされる販売情報種別には、その年月の選択を受け付ける比較対象年月指定プルダウン５０６および５０７が付加されている。
【００４７】
地域別販売情報表示システム２のクライアントＰＣ５は、このような画面を表示部５２から出力し、ユーザから入力部５１を介して、この表示情報選択画面５００に含まれる各項目の選択操作を受け付け、次画面ボタン５０９を押下する操作を受け付けると、地域別販売情報管理サーバ４に選択結果を送信する。そして、地域別販売情報管理サーバ４は、クライアントＰＣ５に表示手法の選択を受け付ける表示手法選択画面を送信し、クライアントＰＣ５は、その画面を表示部５２から出力することになるが、表示手法選択画面については、上記実施の形態１で図７に示した画面と略同一であるため説明を省略する。
【００４８】
図１５は、地域別販売情報を出力表示する際の第１画面例を示す図である。
図１５に示す地域別販売情報表示画面５１０は、地域別販売情報表示システム２の上記処理動作における表示出力時（図１３のステップＳ４０）の出力表示画面の一例である。
地域別販売情報表示システム２のクライアントＰＣ５は、このような画面を表示部５２から出力して、指定販売地域および指定種別の地域別販売情報をユーザに提示する。なお、ここでは、指定販売地域として近畿地方の全府県が選択されている場合の表示例を示している。
【００４９】
この地域別販売情報表示画面５１０のうち地域別販売情報表示部５１１では、指定販売地域全体の地図が示され、各指定販売地域の地形そのものに、それぞれの指定販売地域の地域別販売情報に基づいた変化がつけられており、視認性を阻害することなく、複数種別の地域別販売情報を一括してユーザに提示することができる。
また、この地域別販売情報表示部５１１の下方には、表示態様の定義づけが示され、地域別販売情報の内容を直感的に判断可能としており、また、表示／非表示を切り替える表示切替チェックボックス５１２が各販売情報種別に付されている。
【００５０】
ここで、地域別販売情報表示システム２のクライアントＰＣ５は、ユーザから入力部５１を介して、占有率増減に付されている表示切替チェックボックス５１２のチェックを外す操作を受け付けると、その操作結果を地域別販売情報管理サーバ４に送信する。そして、地域別販売情報管理サーバ４は、描画部４６において、占有率増減の販売情報を除外した画面を再描画して、クライアントＰＣ５に送信する。
【００５１】
図１６は、地域別販売情報を出力表示する際の第２画面例を示す図である。
図１６に示す地域別販売情報表示画面５２０は、占有率増減の販売情報を除外して再描画された画面の一例である。
このように、占有率増減の販売情報を除外して再描画された後は、地域別販売情報表示部５２１に示されるように、占有率増減を表していたハッチング間隔が全ての指定販売地域で均等となっている。
【００５２】
ここで、地域別販売情報表示システム２のクライアントＰＣ５は、ユーザから入力部５１を介して、さらに、売上げ増減に付されている表示切替チェックボックス５２２のチェックを外す操作を受け付けると、その操作結果を地域別販売情報管理サーバ４に送信する。そして、地域別販売情報管理サーバ４は、描画部４６において、売上げ増減の販売情報を除外した画面を再描画して、クライアントＰＣ５に送信する。
【００５３】
図１７は、地域別販売情報を出力表示する際の第３画面例を示す図である。
図１７に示す地域別販売情報表示画面５３０は、占有率増減の販売情報と売上げ増減の販売情報とを除外して再描画された画面の一例である。
このように、占有率増減の販売情報および売上げ増減の販売情報を除外して再描画された後は、地域別販売情報表示部５３１に示されるように、占有率増減と売上げ増減とを表していたハッチングが非表示になっている。
【００５４】
ここで、地域別販売情報表示システム２のクライアントＰＣ５は、ユーザから入力部５１を介して、さらに、占有率に付されている表示切替チェックボックス５３２のチェックを外す操作を受け付けると、その操作結果を地域別販売情報管理サーバ４に送信する。そして、地域別販売情報管理サーバ４は、描画部４６において、占有率の販売情報を除外した画面を再描画して、クライアントＰＣ５に送信する。
【００５５】
図１８は、地域別販売情報を出力表示する際の第４画面例を示す図である。
図１８に示す地域別販売情報表示画面５４０は、占有率、売上げ増減および占有率増減の販売情報を除外して再描画された画面の一例である。
このように、占有率、売上げ増減および占有率増減の販売情報を除外して再描画された後は、地域別販売情報表示部５４１に示されるように、占有率増減と売上げ増減とを表していたハッチングとともに、占有率を表していた色分けも非表示になっている。
【００５６】
一方、図１５に示した地域別販売情報表示画面５１０において、地域別販売情報表示システム２のクライアントＰＣ５は、ユーザから入力部５１を介して、売上げに付されている表示切替チェックボックス５１２のチェックを外す操作を受け付けると、その操作結果を地域別販売情報管理サーバ４に送信する。そして、地域別販売情報管理サーバ４は、描画部４６において、売上げの販売情報を除外した画面を再描画して、クライアントＰＣ５に送信する。
【００５７】
図１９は、地域別販売情報を出力表示する際の第５画面例を示す図である。
図１９に示す地域別販売情報表示画面５５０は、売上げの販売情報を除外して再描画された画面の一例であり、売上げの販売情報を除外して再描画された後は、地域別販売情報表示部５５１に示すように、売上げを表していた３Ｄ表示が２Ｄ表示に切り替えられることになる。
【００５８】
このように、複数種別の地域別販売情報の中から表示させる地域別販売情報の種別を選択可能とし、ユーザが所望する地域別販売情報のみ再表示可能とすることで、各地域別販売情報の再確認を行なうことも容易となる。
なお、地域別販売情報表示システム２では、図１８の第４画面例から各地域別販売情報の表示手法を順次追加していき、最終的に図１５の第１画面例を表示させる段階的表示を行なうこととしてもよく、また、その後に、表示させる地域別販売情報の種別選択を可能とすることとしてもよい。このような段階的表示とすることにより、ユーザは、各地域別販売情報の表示結果を１つずつ確認することができるので、地域別販売情報の各種別の内容把握が容易となる。
【００５９】
また、地域別販売情報表示システム２において表示可能な地域別販売情報の種別は、上記の売上げ、占有率、売上げ増減および占有率増減に限られるものではなく、自社商品情報と業界情報とを加味して算出される他社売上げとの差や他社占有率との差についても一括して表示することが可能である。
【００６０】
図２０は、地域別販売情報を出力表示する際の第６画面例を示す図である。
図２０に示す地域別販売情報表示画面５６０は、売上げ増減、他社売上げとの差および他社占有率との差の販売情報を表示するものとして描画された画面の一例である。
地域別販売情報表示部５６１に示されるように、他社売上げとの差については、ハッチングの太さによって自社商品の売上げと他社の同種商品の売上げとの差の大小が表され、他社占有率との差については、ハッチングの線種によって自社商品の占有率と他社の同種商品の売上げとの差の大小が表されている。
【００６１】
さらに、地域別販売情報表示システム２において表示手法として３Ｄ表示を用いる場合、クライアントＰＣ５の表示部５２に視点を切り替えた画面を表示させることとしてもよい。
【００６２】
図２１は、地域別販売情報を出力表示する際の第７画面例を示す図である。
図２１に示す地域別販売情報表示画面５７０は、図１４の第１画面例に対して視点を１８０度回転させた画面である。
【００６３】
地域別販売情報表示システム２のクライアントＰＣ５は、ユーザから入力部５１を介して視点切替ボタン５７２を押下し、所望の視点を指定する操作を受け付けると、その操作結果を地域別販売情報管理サーバ４に送信する。そして、地域別販売情報管理サーバ４は、描画部４６において、指定された視点から見た画面を再描画して、クライアントＰＣ５に送信し、クライアントＰＣ５は、表示部５２から再描画した画面を出力する。
【００６４】
このように、視点切替を可能とすることにより、画面手前の地域別販売情報の数値が高い場合でも、画面奥に位置する地域別販売情報の内容を確認することができるようになる。
またさらに、地域別販売情報表示システム２において、指定販売地域の地形データをそっくり抜き出して表示するようにしてもよい。
【００６５】
図２２は、地域別販売情報を出力表示する際の第８画面例を示す図である。
図２２に示す地域別販売情報表示画面５８０は、指定販売地域として東京都と大阪府とを抜き出し表示した画面の一例である。
地域別販売情報表示システム２のクライアントＰＣ５は、ユーザから入力部５１を介して都道府県選択ボタン５８２を押下し、所望の販売地域を指定する操作を受け付けると、その操作結果を地域別販売情報管理サーバ４に送信する。そして、地域別販売情報管理サーバ４は、描画部４６において、指定販売地域の地形データをそっくり抜き出した画面を再描画して、クライアントＰＣ５に送信し、クライアントＰＣ５は、表示部５２から再描画した画面を出力する。
このように、指定販売地域の抜き出し表示を可能とすることにより、ユーザは、離れた地域同士について地域別販売情報の比較を容易に行なうことができる。
【００６６】
以上説明したように、本実施の形態２に係る地域別情報表示システムによれば、視認性が損なわれることなく、各地域における売上げや占有率等の販売に関する情報が一括して表示されるので、ユーザは、商品販売に関する地域別の動向を一目で把握することができ、その動向を判断することで効率的な販促活動の実現につなげることもできる。
【００６７】
以上、本発明に係る地域別情報表示装置について各実施の形態に基づき説明したが、本発明は、これらの実施の形態に限定されるものではない。
例えば、上記各実施の形態では、地図データは、都道府県別、または、所定のブロック単位（北海道・東北地方、関東地方、信越・北陸地方、東海地方、近畿地方、中国地方、四国地方および九州地方）に分けられているとしているが、このような区切りに限られることはなく、また、日本国内に限られるものではない。
【００６８】
同様に、上記各実施の形態における画面例は、表示の一例に過ぎず、これに限定されるものでないことはいうまでもない。
また、上記各実施の形態では、各情報種別にどの表示手法が割り当てられるかについて、ユーザの選択により割り当てられるとしているが、装置側でランダムあるいは所定の規則に従って割り当てられることとしてもよい。
【００６９】
さらに、上記実施の形態２では、地域別の販売情報を表示するシステムについて説明したが、取り扱われる情報は販売情報に限られることを意図したものではなく、人口や人口密度、降水量や平均気温等のような各地域に固有の情報を取り扱うこととしてもよい。
【産業上の利用可能性】
【００７０】
本発明に係る地域別情報表示装置は、複数の地域別情報を一括して表示するパーソナルコンピュータやワークステーション等に適用することができ、特に、地域別の売上げや占有率等の販売情報等を一括して表示する装置に好適である。
【図面の簡単な説明】
【００７１】
【図１】地域別情報表示装置の機能的な構成を示すブロック図である。
【図２】地域別情報ファイルのデータ構造の一例を示す図である。
【図３】表示手法定義ファイルのデータ構造の一例を示す図である。
【図４】地域別情報表示装置の処理動作を示すフロー図である。
【図５】地域選択を受け付ける際の画面例を示す図である。
【図６】情報種別の入力を受け付ける際の画面例を示す図である。
【図７】表示手法の入力を受け付ける際の画面例を示す図である。
【図８】地域別情報を出力表示する際の画面例を示す図である。
【図９】地域別販売情報表示システムの全体構成を示す図である。
【図１０】地域別販売情報表示システムの機能的な構成を示すブロック図である。
【図１１】自社商品情報ファイルのデータ構造の一例を示す図である。
【図１２】年間推移ファイルのデータ構造の一例を示す図である。
【図１３】地域別販売情報表示システムにおける処理手順を示すフロー図である。
【図１４】販売情報種別の入力を受け付ける際の画面例を示す図である。
【図１５】地域別販売情報を出力表示する際の第１画面例を示す図である。
【図１６】地域別販売情報を出力表示する際の第２画面例を示す図である。
【図１７】地域別販売情報を出力表示する際の第３画面例を示す図である。
【図１８】地域別販売情報を出力表示する際の第４画面例を示す図である。
【図１９】地域別販売情報を出力表示する際の第５画面例を示す図である。
【図２０】地域別販売情報を出力表示する際の第６画面例を示す図である。
【図２１】地域別販売情報を出力表示する際の第７画面例を示す図である。
【図２２】地域別販売情報を出力表示する際の第８画面例を示す図である。
【符号の説明】
【００７２】
１    地域別情報表示装置
２    地域別販売情報表示システム
３    ホストサーバ
４    地域別販売情報管理サーバ
５    クライアントＰＣ
６    業界情報管理サーバ
７    ネットワーク通信網
１１、５１    入力部
１２、４１    制御部
１３    地域別情報格納部
１３ａ    地域別情報ファイル
１４、４４    地図データ格納部
１５、５２    表示部
１６    第１情報取得部
１７    第２情報取得部
１８    第３情報取得部
１９    第４情報取得部
２０、４６    描画部
２０ａ    表示手法定義ファイル
３１    自社商品ＤＢ格納部
４２    地域別自社商品情報格納部
４３    地域別業界情報格納部
４５    情報管理部
６１    業界情報ＤＢ格納部
１００    地域選択画面
１０１    地域選択チェックボックス
１０２、１１５、５０９    次画面ボタン
１１０、５００    表示情報選択画面
１１１〜１１４    情報選択プルダウン
１２０    表示手法選択画面
１２１〜１２４    表示手法選択プルダウン
１２５    表示ボタン
１３０    地域別情報表示画面
１３１    地域別情報表示部
４２０    地域別自社商品情報ファイル
４５０    年間推移ファイル
５０１    年月指定プルダウン
５０２    商品指定プルダウン
５０３〜５０５、５０７    情報選択ラジオボタン
５０６、５０８    比較対象年月指定プルダウン
５１０、５２０、５３０、５４０、５５０、５６０、５７０、５８０    地域別販売情報表示画面
５１１、５２１、５３１、５４１、５５１、５６１、５７１、５８１    地域別販売情報表示部
５１２、５２２、５３２、５４２、５５２    表示切替チェックボックス
５７２    視点切替ボタン
５８２    都道府県選択ボタン
【図１】
2005165064.tif 000003
【図２】
2005165064.tif 000004
【図３】
2005165064.tif 000005
【図４】
2005165064.tif 000006
【図５】
2005165064.tif 000007
【図６】
2005165064.tif 000008
【図７】
2005165064.tif 000009
【図８】
2005165064.tif 000010
【図９】
2005165064.tif 000011
【図１０】
2005165064.tif 000012
【図１１】
2005165064.tif 000013
【図１２】
2005165064.tif 000014
【図１３】
2005165064.tif 000015
【図１４】
2005165064.tif 000016
【図１５】
2005165064.tif 000017
【図１６】
2005165064.tif 000018
【図１７】
2005165064.tif 000019
【図１８】
2005165064.tif 000020
【図１９】
2005165064.tif 000021
【図２０】
2005165064.tif 000022
【図２１】
2005165064.tif 000023
【図２２】
2005165064.tif 000024